(57)【要約】【課題】  消費電力の低減が可能であり、しかも動作安定性の確保が可能な液晶シャッタ、液晶シャッタの駆動方法及び液晶シャッタを備えた画像表示システムを提供する。【解決手段】  液晶シャッタは、左目に入射される光の透過率を制御可能なＯＣＢモードの第１液晶パネルと、右目に入射される光の透過率を制御可能なＯＣＢモードの第２液晶パネルと、駆動部と、を備えている。駆動部は、パルス状の正規電圧を用いた正規駆動と、正規電圧より周波数が小さい特性及び正規電圧より相対的に電圧レベルが浅い特性の少なくとも一方の上記特性を持ったパルス状の保持電圧を第１液晶パネル及び第２液晶パネルに印加し、前記液晶分子がベンド配向を採った状態を保持する保持駆動と、を切替えて行う。【選択図】図９
2011215400.tif 000002
【特許請求の範囲】
【請求項１】
一対の電極基板及び前記電極基板間に挟持された液晶層を有し、左目の視界を覆い、左目に入射される光の透過率を制御可能なＯＣＢモードの第１液晶パネルと、
一対の電極基板及び前記電極基板間に挟持された液晶層を有し、右目の視界を覆い、右目に入射される光の透過率を制御可能なＯＣＢモードの第２液晶パネルと、
パルス状の正規電圧を前記第１液晶パネル及び第２液晶パネルに印加し、それぞれ前記第１液晶パネル及び第２液晶パネルを液晶分子がベンド配向を採った状態で透過状態及び非透過状態に交互に切替える正規駆動と、前記正規電圧より周波数が小さい特性及び前記正規電圧より相対的に電圧レベルが浅い特性の少なくとも一方の上記特性を持ったパルス状の保持電圧を前記第１液晶パネル及び第２液晶パネルに印加し、前記液晶分子がベンド配向を採った状態を保持する保持駆動と、を切替えて行う駆動部と、を備えていることを特徴とする液晶シャッタ。
【請求項２】
前記駆動部は、前記保持駆動を行い、それぞれ前記第１液晶パネル及び第２液晶パネルを透過状態に保持することを特徴とする請求項１に記載の液晶シャッタ。
【請求項３】
前記駆動部は、保持駆動期間の透過率が正規駆動期間の透過率と同等となるよう調整された前記保持電圧を、前記第１液晶パネル及び第２液晶パネルに印加することを特徴とする請求項２に記載の液晶シャッタ。
【請求項４】
前記駆動部は、前記保持駆動を行う際、１０Ｈｚ乃至０．０１Ｈｚの周波数の前記保持電圧を前記第１液晶パネル及び第２液晶パネルに印加することを特徴とする請求項１に記載の液晶シャッタ。
【請求項５】
前記駆動部は、前記保持駆動を極性反転駆動法を用いて行い、それぞれ前記第１液晶パネル及び第２液晶パネルを、常時、透過状態に保持することを特徴とする請求項１乃至３の何れか１項に記載の液晶シャッタ。
【請求項６】
前記第１液晶パネル及び第２液晶パネルは、それぞれノーマリーホワイト型であり、
前記駆動部は、前記保持駆動を行う際、前記正規電圧より相対的に電圧レベルが浅く設定されている前記保持電圧を前記第１液晶パネル及び第２液晶パネルに印加することを特徴とする請求項１乃至３の何れか１項に記載の液晶シャッタ。
【請求項７】
前記第１液晶パネル及び第２液晶パネルは、それぞれノーマリーホワイト型であり、
前記駆動部は、前記非透過状態となる期間の前記正規電圧より電圧レベルが浅く設定され、かつ保持駆動期間の透過率が正規駆動期間の透過率と同等となるよう調整された前記保持電圧が、
前記液晶分子がベンド配向からスプレイ配向に逆転移する臨界電圧以上に深く設定されている場合に、前記調整された保持電圧を、それぞれ前記第１液晶パネル及び第２液晶パネルに印加し、
前記臨界電圧より浅く設定されている場合に、前記保持駆動期間に、前記非透過状態となる期間の前記正規電圧の電圧レベルを徐々に浅くし、前記透過状態となる期間の前記正規電圧の電圧レベルを徐々に深くし、最終的に前記臨界電圧より浅くならない範囲内の電圧レベルに調整された前記保持電圧を、それぞれ前記第１液晶パネル及び第２液晶パネルに印加し、それぞれ前記第１液晶パネル及び第２液晶パネルの透過率を前記正規駆動期間の透過率から徐々に下げることを特徴とする請求項１に記載の液晶シャッタ。
【請求項８】
前記第１液晶パネル及び第２液晶パネルは、それぞれノーマリーホワイト型であり、
前記駆動部は、
前記保持駆動を極性反転駆動法を用いて行い、
前記非透過状態となる期間の前記正規電圧より電圧レベルが浅く設定され、かつ保持駆動期間の透過率が正規駆動期間の透過率と同等となるよう調整され、かつ前記液晶分子がベンド配向からスプレイ配向に逆転移する臨界電圧以上に深く設定された前記保持電圧を、それぞれ前記第１液晶パネル及び第２液晶パネルに印加し、
前記保持駆動期間に、前記保持電圧の電圧レベルを徐々に浅くし、最終的に前記臨界電圧より浅くならない範囲内の電圧レベルに調整された前記保持電圧を、それぞれ前記第１液晶パネル及び第２液晶パネルに印加し、それぞれ前記第１液晶パネル及び第２液晶パネルの透過率を前記正規駆動期間の透過率から徐々に上げることを特徴とする請求項１に記載の液晶シャッタ。
【請求項９】
メガネフレームをさらに備え、
前記第１液晶パネル及び第２液晶パネルは、前記メガネフレームに取付けられていることを特徴とする請求項１乃至８の何れか１項に記載の液晶シャッタ。
【請求項１０】
一対の電極基板及び前記電極基板間に挟持された液晶層を有し、左目の視界を覆い、左目に入射される光の透過率を制御可能なＯＣＢモードの第１液晶パネルと、一対の電極基板及び前記電極基板間に挟持された液晶層を有し、右目の視界を覆い、右目に入射される光の透過率を制御可能なＯＣＢモードの第２液晶パネルと、を備えた液晶シャッタの駆動方法において、
パルス状の正規電圧を前記第１液晶パネル及び第２液晶パネルに印加し、それぞれ前記第１液晶パネル及び第２液晶パネルを液晶分子がベンド配向を採った状態で透過状態及び非透過状態に交互に切替える正規駆動を行い、
前記正規電圧より周波数が小さい特性及び前記正規電圧より相対的に電圧レベルが浅い特性の少なくとも一方の上記特性を持ったパルス状の保持電圧を前記第１液晶パネル及び第２液晶パネルに印加し、前記液晶分子がベンド配向を採った状態を保持する保持駆動を前記正規駆動と切替えて行うことを特徴とする液晶シャッタの駆動方法。
【請求項１１】
前記保持駆動を行い、それぞれ前記第１液晶パネル及び第２液晶パネルを透過状態に保持することを特徴とする請求項１０に記載の液晶シャッタの駆動方法。
【請求項１２】
保持駆動期間の透過率が正規駆動期間の透過率と同等となるよう調整された前記保持電圧を、前記第１液晶パネル及び第２液晶パネルに印加することを特徴とする請求項１１に記載の液晶シャッタの駆動方法。
【請求項１３】
前記保持駆動を行う際、１０Ｈｚ乃至０．０１Ｈｚの周波数の前記保持電圧を前記第１液晶パネル及び第２液晶パネルに印加することを特徴とする請求項１０に記載の液晶シャッタの駆動方法。
【請求項１４】
前記保持駆動を行う際、極性反転駆動法を用い、それぞれ前記第１液晶パネル及び第２液晶パネルを、常時、透過状態に保持することを特徴とする請求項１０乃至１２の何れか１項に記載の液晶シャッタの駆動方法。
【請求項１５】
前記第１液晶パネル及び第２液晶パネルはそれぞれノーマリーホワイト型である前記液晶シャッタの駆動方法において、
前記保持駆動を行う際、前記正規電圧より相対的に電圧レベルが浅く設定されている前記保持電圧を前記第１液晶パネル及び第２液晶パネルに印加することを特徴とする請求項１０乃至１２の何れか１項に記載の液晶シャッタの駆動方法。
【請求項１６】
前記第１液晶パネル及び第２液晶パネルはそれぞれノーマリーホワイト型である前記液晶シャッタの駆動方法において、
前記非透過状態となる期間の前記正規電圧より電圧レベルが浅く設定され、かつ保持駆動期間の透過率が正規駆動期間の透過率と同等となるよう調整された前記保持電圧が、
前記液晶分子がベンド配向からスプレイ配向に逆転移する臨界電圧以上に深く設定されている場合に、前記調整された保持電圧を、それぞれ前記第１液晶パネル及び第２液晶パネルに印加し、
前記臨界電圧より浅く設定されている場合に、前記保持駆動期間に、前記非透過状態となる期間の前記正規電圧の電圧レベルを徐々に浅くし、前記透過状態となる期間の前記正規電圧の電圧レベルを徐々に深くし、最終的に前記臨界電圧より浅くならない範囲内の電圧レベルに調整された前記保持電圧を、それぞれ前記第１液晶パネル及び第２液晶パネルに印加し、それぞれ前記第１液晶パネル及び第２液晶パネルの透過率を前記正規駆動期間の透過率から徐々に下げることを特徴とする請求項１０に記載の液晶シャッタの駆動方法。
【請求項１７】
前記第１液晶パネル及び第２液晶パネルはそれぞれノーマリーホワイト型である前記液晶シャッタの駆動方法において、
前記保持駆動を行う際、極性反転駆動法を用い、
前記非透過状態となる期間の前記正規電圧より電圧レベルが浅く設定され、かつ保持駆動期間の透過率が正規駆動期間の透過率と同等となるよう調整され、かつ前記液晶分子がベンド配向からスプレイ配向に逆転移する臨界電圧以上に深く設定された前記保持電圧を、それぞれ前記第１液晶パネル及び第２液晶パネルに印加し、
前記保持駆動期間に、前記保持電圧の電圧レベルを徐々に浅くし、最終的に前記臨界電圧より浅くならない範囲内の電圧レベルに調整された前記保持電圧を、それぞれ前記第１液晶パネル及び第２液晶パネルに印加し、それぞれ前記第１液晶パネル及び第２液晶パネルの透過率を前記正規駆動期間の透過率から徐々に上げることを特徴とする請求項１０に記載の液晶シャッタの駆動方法。
【請求項１８】
一対の電極基板及び前記電極基板間に挟持された液晶層を有し、左目の視界を覆い、左目に入射される光の透過率を制御可能なＯＣＢモードの第１液晶パネルと、一対の電極基板及び前記電極基板間に挟持された液晶層を有し、右目の視界を覆い、右目に入射される光の透過率を制御可能なＯＣＢモードの第２液晶パネルと、パルス状の正規電圧を前記第１液晶パネル及び第２液晶パネルに印加し、それぞれ前記第１液晶パネル及び第２液晶パネルを液晶分子がベンド配向を採った状態で透過状態及び非透過状態に交互に切替える正規駆動と、前記正規電圧より周波数が小さい特性及び前記正規電圧より相対的に電圧レベルが浅い特性の少なくとも一方の上記特性を持ったパルス状の保持電圧を前記第１液晶パネル及び第２液晶パネルに印加し、前記液晶分子がベンド配向を採った状態を保持する保持駆動と、を切替えて行う駆動部と、を備えている液晶シャッタと、
画像を表示し、画像情報に合った同期信号を前記液晶シャッタに送信する表示装置と、を備え、
前記駆動部は、前記同期信号を受信した場合前記同期信号を基に前記表示装置が表示する画像に同期を取って前記正規駆動を行うことを特徴とする画像表示システム。
【発明の詳細な説明】
【技術分野】
【０００１】
この発明は、液晶シャッタ、液晶シャッタの駆動方法及び画像表示システムに関する。
【背景技術】
【０００２】
近年、立体画像を表示するための技術が種々提案されている。上記技術として、例えばアクティブシャッタ方式の液晶シャッタと、時分割方式の液晶表示装置等の表示装置とを用いた立体画像表示技術が知られている（例えば、特許文献１乃至３参照）。
【０００３】
液晶表示装置は、左目用の画像と右目用の画像とを交互に表示する。液晶シャッタは、液晶表示装置の画像表示に連動し、左目用の液晶パネル及び右目用の液晶パネルを透過状態（オン）及び非透過状態（オフ）に切替える。
【０００４】
液晶表示装置が左目用の画像を表示している間、液晶表示装置から出射される光は、左目用の液晶パネルは透過し、右目用の液晶パネルは遮蔽する。同様に、液晶表示装置が右目用の画像を表示している間、液晶表示装置から出射される光は、左目用の液晶パネルは遮蔽し、右目用の液晶パネルは透過する。
【０００５】
これにより、液晶シャッタを装着したユーザは、左目用の画像と、右目用の画像とを左右の目で交互にみることとなり、液晶表示装置に表示される平面画像を立体画像のようにみることができる。この際、液晶シャッタは、液晶表示装置から送信される同期信号を基に液晶表示装置が表示する画像に同期を取って正規駆動する。
【先行技術文献】
【特許文献】
【０００６】
【特許文献１】特開平１０−１９１３９９号公報
【特許文献２】特開２０００−２７５５７５号公報
【特許文献３】特開２００７−１１０６８３号公報
【発明の概要】
【発明が解決しようとする課題】
【０００７】
ところで、液晶シャッタが受信する同期信号が何らかの障害によって途絶えた場合、液晶シャッタユーザの視線が液晶表示装置以外に移動すると他光源及び液晶シャッタ間に干渉作用が生じ、液晶シャッタユーザは不快である。また、正規駆動では１２０Ｈｚ相当の高周波駆動を行うことから消費電力が大きいため、正規駆動は、立体画像を鑑賞する以外では無用である。
【０００８】
また、液晶シャッタには、高速な応答速度が要求されることからＯＣＢ（Optically Compensated Bend）液晶を用いることが望ましい。しかし、ＯＣＢ液晶を使用する場合、通常、初期配向状態がスプレイ配向をとるため、所定の電圧を印加してベンド配向状態に初期転移させた後に動作させる必要がある。また、ＯＣＢ液晶は、一定期間、所定の電圧が印加されないとベンド配向からスプレイ配向に逆転移する性質がある。このため、短時間の同期信号断絶時や液晶シャッタ不使用時に電源がオフされると、初期配向状態であるスプレイ配向状態に逆転移してしまい、その使用にあたっては再びスプレイ配向からベンド配向に転移させる必要が生じ、その動作上、安定性に欠ける恐れがある。
【０００９】
この発明は以上の点に鑑みなされたもので、その目的は、消費電力の低減が可能であり、しかも動作安定性の確保が可能な液晶シャッタ、液晶シャッタの駆動方法及び液晶シャッタを備えた画像表示システムを提供することにある。
【課題を解決するための手段】
【００１０】
上記課題を解決するため、本発明の態様に係る液晶シャッタは、
一対の電極基板及び前記電極基板間に挟持された液晶層を有し、左目の視界を覆い、左目に入射される光の透過率を制御可能なＯＣＢモードの第１液晶パネルと、
一対の電極基板及び前記電極基板間に挟持された液晶層を有し、右目の視界を覆い、右目に入射される光の透過率を制御可能なＯＣＢモードの第２液晶パネルと、
パルス状の正規電圧を前記第１液晶パネル及び第２液晶パネルに印加し、それぞれ前記第１液晶パネル及び第２液晶パネルを液晶分子がベンド配向を採った状態で透過状態及び非透過状態に交互に切替える正規駆動と、前記正規電圧より周波数が小さい特性及び前記正規電圧より相対的に電圧レベルが浅い特性の少なくとも一方の上記特性を持ったパルス状の保持電圧を前記第１液晶パネル及び第２液晶パネルに印加し、前記液晶分子がベンド配向を採った状態を保持する保持駆動と、を切替えて行う駆動部と、を備えていることを特徴としている。
【００１１】
また、本発明の他の態様に係る液晶シャッタの駆動方法は、
一対の電極基板及び前記電極基板間に挟持された液晶層を有し、左目の視界を覆い、左目に入射される光の透過率を制御可能なＯＣＢモードの第１液晶パネルと、一対の電極基板及び前記電極基板間に挟持された液晶層を有し、右目の視界を覆い、右目に入射される光の透過率を制御可能なＯＣＢモードの第２液晶パネルと、を備えた液晶シャッタの駆動方法において、
パルス状の正規電圧を前記第１液晶パネル及び第２液晶パネルに印加し、それぞれ前記第１液晶パネル及び第２液晶パネルを液晶分子がベンド配向を採った状態で透過状態及び非透過状態に交互に切替える正規駆動を行い、
前記正規電圧より周波数が小さい特性及び前記正規電圧より相対的に電圧レベルが浅い特性の少なくとも一方の上記特性を持ったパルス状の保持電圧を前記第１液晶パネル及び第２液晶パネルに印加し、前記液晶分子がベンド配向を採った状態を保持する保持駆動を前記正規駆動と切替えて行うことを特徴としている。
【００１２】
また、本発明の他の態様に係る画像表示システムは、
一対の電極基板及び前記電極基板間に挟持された液晶層を有し、左目の視界を覆い、左目に入射される光の透過率を制御可能なＯＣＢモードの第１液晶パネルと、一対の電極基板及び前記電極基板間に挟持された液晶層を有し、右目の視界を覆い、右目に入射される光の透過率を制御可能なＯＣＢモードの第２液晶パネルと、パルス状の正規電圧を前記第１液晶パネル及び第２液晶パネルに印加し、それぞれ前記第１液晶パネル及び第２液晶パネルを液晶分子がベンド配向を採った状態で透過状態及び非透過状態に交互に切替える正規駆動と、前記正規電圧より周波数が小さい特性及び前記正規電圧より相対的に電圧レベルが浅い特性の少なくとも一方の上記特性を持ったパルス状の保持電圧を前記第１液晶パネル及び第２液晶パネルに印加し、前記液晶分子がベンド配向を採った状態を保持する保持駆動と、を切替えて行う駆動部と、を備えている液晶シャッタと、
画像を表示し、画像情報に合った同期信号を前記液晶シャッタに送信する表示装置と、を備え、
前記駆動部は、前記同期信号を受信した場合前記同期信号を基に前記表示装置が表示する画像に同期を取って前記正規駆動を行うことを特徴としている。
【発明の効果】
【００１３】
この発明によれば、消費電力の低減が可能であり、しかも動作安定性の確保が可能な液晶シャッタ、液晶シャッタの駆動方法及び液晶シャッタを備えた画像表示システムを提供することができる。
【図面の簡単な説明】
【００１４】
【図１】本発明の実施の形態に係る画像表示システムを示す概略構成図である。
【図２】図１に示した液晶シャッタを示す概略構成図である。
【図３】図１及び図２に示した第１液晶パネルを示す断面図である。
【図４】上記第１液晶パネルの断面図であり、第１液晶パネルが透過状態となる場合の液晶分子の配向状態を示す図である。
【図５】上記第１液晶パネルの断面図であり、第１液晶パネルが非透過状態となる場合の液晶分子の配向状態を示す図である。
【図６】図１に示した液晶表示装置を概略的に示す断面図である。
【図７】図６に示したアレイ基板の一部を示す概略構成図である。
【図８】上記画像表示システムの液晶表示装置の画像表示と、第１液晶パネルのＯＮ／ＯＦＦと、第２液晶パネルのＯＮ／ＯＦＦと、第１液晶パネルに印加される駆動電圧と、第２液晶パネルに印加される駆動電圧と、を示すタイミングチャートである。
【図９】上記画像表示システムの実施例１の第１液晶パネルに印加される駆動電圧を示すタイミングチャートである。
【図１０】上記画像表示システムの実施例２の第１液晶パネルに印加される駆動電圧を示すタイミングチャートである。
【図１１】上記画像表示システムの実施例３の第１液晶パネルに印加される駆動電圧を示すタイミングチャートである。
【図１２】上記画像表示システムの実施例４の第１液晶パネルに印加される駆動電圧を示すタイミングチャートである。
【図１３】上記液晶表示装置の一部を概略的に示す構成図である。
【図１４】上記液晶シャッタの受信器を概略的に示す構成図である。
【図１５】上記受信器の各部の信号波形を示すタイミングチャートであり、（１）位相同期信号ａ、（２）パルス信号ｂ、（３）スイッチ制御パルス信号ｃ、（４）信号ｄ、（５）信号ｅ、（６）信号ｆ、（７）信号ｇ、（８）第２液晶パネル駆動信号ｈ、（９）第１液晶パネル駆動信号ｉ、（１０）第１液晶パネル及び第２液晶パネルの開閉シーケンス、（１１）液晶表示装置に表示される映像のシーケンスを示す図である。
【発明を実施するための形態】
【００１５】
以下、図面を参照しながらこの発明の実施の形態に係る液晶シャッタを備えた画像表示システム及び液晶シャッタの駆動方法について詳細に説明する。始めに、画像表示システムの構成を説明する。  
図１に示すように、画像表示システムは、アクティブシャッタ方式の液晶シャッタ１と、表示装置としての液晶表示装置２と、を備えている。
【００１６】
図１乃至図３に示すように、液晶シャッタ１は、第１液晶パネル３Ｌと、第２液晶パネル３Ｒと、メガネフレーム４と、駆動部５と、電源部６と、受信器７と、筐体８とを備えている。この実施の形態において、液晶シャッタ１は、メガネ装着型の液晶シャッタである。
【００１７】
第１液晶パネル３Ｌは、一対の電極基板１０、２０と、電極基板間に挟持された液晶層３０と、を有している。  
電極基板１０は、透明な絶縁基板としてのガラス基板１１と、このガラス基板１１上に形成された第１電極１２と、ガラス基板１１及び第１電極１２上に形成された配向膜１３とを有している。絶縁基板としてはガラス基板の他に、プラスチック基板や樹脂フィルムなども適用することができる。電極基板１０上には、光学補償フィルム１４及び偏光板１５が配置されている。光学補償フィルム１４及び偏光板１５は、ガラス基板１１に対して第１電極１２の反対側に位置し、ガラス基板１１の外面上に順に配置されている。
【００１８】
電極基板２０は、透明な絶縁基板としてのガラス基板２１と、このガラス基板２１上に形成された第２電極２２と、ガラス基板２１及び第２電極２２上に形成された配向膜２３とを有している。同様に、絶縁基板としてはガラス基板の他に、プラスチック基板や樹脂フィルムなども適用することができる。電極基板２０上には、光学補償フィルム２４及び偏光板２５が配置されている。光学補償フィルム２４及び偏光板２５は、ガラス基板２１に対して第２電極２２の反対側に位置し、ガラス基板２１の外面上に順に配置されている。
【００１９】
第１電極１２及び第２電極２２は、透明な導電材料として、例えばＩＴＯ（インジウム・ティン・オキサイド）で形成されている。配向膜１３及び配向膜２３は、同一方向に配向処理（ラビング）が施されている。偏光板１５及び偏光板２５は、配向方向に対して略４５°で交差するようにクロスニコル配置されている。
【００２０】
電極基板１０及び電極基板２０は、複数のスペーサとしての複数の球状スペーサ３１により、所定の隙間を保持して対向配置され、両基板の周縁部に配置されたシール材３２により互いに接合されている。球状スペーサ３１に代えて柱状スペーサを一方の基板上に一体的に形成することもできる。液晶層３０は、電極基板１０、電極基板２０及びシール材３２で囲まれた領域に充填されたネマティック液晶で形成されている。
【００２１】
上記のように、第１液晶パネル３Ｌは、πセルに光学補償フィルム１４、２４を組合せたＯＣＢ（optically compensated bend）モードの液晶パネルである。ここで、第１液晶パネル３Ｌは、電圧を印加しない状態で光透過状態となるノーマリーホワイト型である。第１液晶パネル３Ｌは、左目の視界を覆い、左目に入射される光の透過率を制御可能である。
【００２２】
第１電極１２に電圧Ｖｄが印加され、第２電極２２に電圧Ｖｃｏｍが印加されることにより、液晶層３０に駆動電圧が印加される。図４及び図５に示すように、液晶層３０に例えば２０Ｖ程度の閾値電圧以上の駆動電圧が印加されることにより、液晶分子３０ｍがスプレイ（splay）配向からベンド（bend）配向に転移する（初期転移）。そして、液晶層３０に所望の駆動電圧が印加されることにより、液晶分子３０ｍのベンド配向を維持しつつ第１液晶パネル３Ｌを透過状態及び非透過状態に切替えることができる。第１液晶パネル３Ｌは、ベンド配向とフロー効果により高速応答性に優れている。
【００２３】
図１乃至図３に示すように、第２液晶パネル３Ｒは、上記第１液晶パネル３Ｌと同様に形成されている。第２液晶パネル３Ｒは、一対の電極基板１０、２０及びこれら電極基板間に挟持された液晶層３０を有し、右目の視界を覆い、右目に入射される光の透過率を制御可能なＯＣＢモードの液晶パネルである。ここで、第２液晶パネル３Ｒは、電圧を印加しない状態で光透過状態となるノーマリーホワイト型である。
【００２４】
なお、第１液晶パネル３Ｌ及び第２液晶パネル３Ｒにおいて、図示しないが、これらの形状やこれらに形成される端子の位置は互いに異なっていてもよく、これにより、例えば、第１液晶パネル３Ｌ及び第２液晶パネル３Ｒが左目用及び右目用の何れであるのか識別することができる。  
図１に示すように、第１液晶パネル３Ｌ及び第２液晶パネル３Ｒは、メガネフレーム４に取付けられている。
【００２５】
図２に示すように、駆動部５は、フレキシブル配線基板（ＦＰＣ）等を介して第１液晶パネル３Ｌ及び第２液晶パネル３Ｒそれぞれの第１電極１２及び第２電極２２に電気的に接続されている。駆動部５は、第１液晶パネル３Ｌ及び第２液晶パネル３Ｒそれぞれに電圧Ｖｄ及び電圧Ｖｃｏｍを印加し、第１液晶パネル３Ｌ（液晶層３０）及び第２液晶パネル３Ｒ（液晶層３０）にパルス状の正規電圧を印加する正規駆動と、第１液晶パネル３Ｌ（液晶層３０）及び第２液晶パネル３Ｒ（液晶層３０）にパルス状の保持電圧を印加し正規駆動より消費電力を低減でき液晶分子がベンド配向を採った状態を保持する保持駆動と、を切替えて行うことができる。
【００２６】
駆動部５は、正規駆動を行うことにより、それぞれ第１液晶パネル３Ｌ及び第２液晶パネル３Ｒを液晶分子３０ｍがベンド配向を採った状態で透過状態及び非透過状態に交互に切替えることができる。
【００２７】
電源部６及び受信器７は、駆動部５に接続されている。電源部６は、駆動部５に電力を供給するものである。受信器７は、有線又は無線通信によりデータ（同期信号）を受信するものである。駆動部５は、受信器７で受信したデータに基づいて、第１液晶パネル３Ｌ及び第２液晶パネル３Ｒに駆動電圧を印加するものである。筐体８は、駆動部５、電源部６及び受信器７を収容し、メガネフレーム４に取付けられている。  
上記のように液晶シャッタ１が形成されている。
【００２８】
図１及び図６に示すように、液晶表示装置２は、液晶表示パネル５０、バックライトユニット９０、及び制御部１００を備えている。液晶表示パネル５０は、アレイ基板６０と、アレイ基板６０に対向配置された対向基板７０と、アレイ基板６０及び対向基板７０間に挟持された液晶層８０とを備えている。
【００２９】
図６及び図７に示すように、アレイ基板６０は、透明な絶縁基板として矩形状のガラス基板６１を備えている。ガラス基板６１上には、複数の信号線６２と、複数の走査線６３とが形成されている。信号線６２及び走査線６３は、互いに直交して形成されている。また、ガラス基板６１上には、走査線６３に平行な複数の補助容量線６４が形成されている。この実施の形態において、隣合う２本の信号線６２及び隣合う２本の走査線６３で囲まれた各領域には画素ＰＸが形成されている。これらの画素ＰＸは、ガラス基板６１上にマトリクス状に配置されている。
【００３０】
次に、画素ＰＸを１つ取り出して詳述する。  
画素ＰＸは、信号線６２及び走査線６３の交差部近傍に形成されたスイッチング素子としてのＴＦＴ（薄膜トランジスタ）６５と、ＴＦＴ６５に接続された画素電極６６と、画素電極６６に接続された補助容量素子６７と、を有している。補助容量線６４は、補助容量素子６７の一方の電極を形成している。
【００３１】
図示しないが、ガラス基板６１上に、赤色、緑色及び青色の複数の着色層を有したカラーフィルタが形成されている。なお、上記画素電極６６はＩＴＯ等の透明な導電材料でカラーフィルタ上に形成されている。また、カラーフィルタ上には、スペーサとして、例えば複数の柱状スペーサ６８が形成されている。上記のように、ガラス基板６１上にアレイパターン６０Ｐが形成されている。ガラス基板６１及びアレイパターン６０Ｐ上に配向膜６９が形成されている。
【００３２】
対向基板７０は、透明な絶縁基板として矩形状のガラス基板７１を備えている。ガラス基板７１上に、対向電極７２及び配向膜７３が順に形成されている。なお、配向膜６９及び配向膜７３には同一方向に配向処理（ラビング）が施されている。このように、対向基板７０が形成されている。
【００３３】
アレイ基板６０及び対向基板７０間の隙間は、複数の柱状スペーサ６８により保持されている。アレイ基板６０及び対向基板７０は、表示領域の外周に沿って配置されたシール材８１により接合されている。液晶層８０は、アレイ基板６０、対向基板７０及びシール材８１で囲まれた領域に充填されたネマティック液晶で形成されている。
【００３４】
アレイ基板６０の外面上に、光学補償フィルム５１及び偏光板５２が順に形成されている。対向基板７０の外面上に、光学補償フィルム５３及び偏光板５４が順に形成されている。偏光板５２及び偏光板５４は、配向方向に対して略４５°で交差するようにクロスニコル配置されている。上記のように、液晶表示パネル５０は、ＯＣＢモードの液晶パネルである。ここで、液晶表示パネル５０は、電圧を印加しない状態で光透過状態となるノーマリーホワイト型である。
【００３５】
図６に示すように、バックライトユニット９０は、アレイ基板６０の外面側に設けられている。バックライトユニット９０は、偏光板５２と対向した導光板を含む導光体９２と、導光体９２の一側縁に対向配置された、例えば冷陰極線管からなる光源９３及び反射板９４を有している。
【００３６】
次に、上記画像表示システムの液晶シャッタ１及び液晶シャッタ１の駆動方法について説明する。液晶シャッタ１及び液晶シャッタ１の駆動方法は、画像表示システムを用いて立体画像を表示している際、液晶表示装置２から液晶シャッタ１に送信される同期信号が何らかの障害によって途絶えた場合を想定し、この場合、駆動部５が正規駆動から保持駆動に切替えて行うものである。
【００３７】
まず、画像表示システムを用いて立体画像を表示する場合に行う上記液晶シャッタ１及び液晶表示装置２の動作、特に、駆動部５による正規駆動について説明する。  
図６及び図８に示すように、制御部１００は、１２０Ｈｚのフレーム周波数で左目用の画像と右目用の画像とを交互に表示するよう、液晶表示パネル５０の駆動を制御する。ここで、１フレーム（１Ｆ）とは、全ての画素ＰＸを順次走査し再び同一の画素ＰＸを走査するまでの時間である。
【００３８】
上記のことから、液晶表示装置２は、実質６０Ｈｚの周波数で解像度の低下なく立体画像の表示を可能にしている。
【００３９】
駆動部５は、パルス状の正規電圧を第１液晶パネル３Ｌ及び第２液晶パネル３Ｒに印加し、それぞれ第１液晶パネル３Ｌ及び第２液晶パネル３Ｒを液晶分子３０ｍがベンド配向を採った状態で透過状態及び非透過状態に交互に切替える正規駆動を行う。
【００４０】
詳しくは、図１、図２及び図８に示すように、任意の１フレームの期間、駆動部５は、液晶表示装置２による右目用の画像表示に同期を取って第１液晶パネル３Ｌを非透過状態（ＯＦＦ）に切替えている間、第２液晶パネル３Ｒを透過状態（ＯＮ）に切替える。このフレームの期間、第１液晶パネル３Ｌの透過率はほぼ０％である。
【００４１】
続く、１フレームの期間、駆動部５は、液晶表示装置２による左目用の画像表示に同期を取って第１液晶パネル３Ｌを透過状態（ＯＮ）に切替えている間、第２液晶パネル３Ｒを非透過状態（ＯＦＦ）に切替える。第１液晶パネル３Ｌを透過状態（ＯＮ）に切替えると、第１液晶パネル３Ｌは高速応答性を示し、第１液晶パネル３Ｌの透過率が０％から上昇する。このため、このフレームの期間、第１液晶パネル３Ｌは透過状態となる。
【００４２】
その後も、液晶表示装置２の画像表示に同期を取って第１液晶パネル３Ｌ及び第２液晶パネル３Ｒを交互に透過状態に切替える。駆動部５は、それぞれ第１液晶パネル３Ｌ及び第２液晶パネル３Ｒを透過状態（ＯＮ）に切替える際、前回、透過状態（ＯＮ）に切替えてから６０分の１秒後に切替えている。これにより、液晶シャッタ１を装着したユーザは、左目用の画像と、右目用の画像とを左右の目で交互にみることができ、ユーザに立体画像を表示することができる。
【００４３】
次に、画像表示システムを用いて立体画像を表示している際、液晶表示装置２から液晶シャッタ１に送信される同期信号が何らかの障害によって途絶えた場合などに行う上記液晶シャッタ１の動作、特に、駆動部５による保持駆動について説明する。以下、実施例１乃至４の液晶シャッタ１の駆動部５の保持駆動について説明する。
【００４４】
実施例１乃至４の液晶シャッタ１の保持駆動は、正規駆動より消費電力を低減でき液晶分子３０ｍがベンド配向を採った状態を保持する保持駆動の例である。保持駆動は、正規電圧より周波数が小さい特性及び正規電圧より相対的に電圧レベルが浅い特性の少なくとも一方の特性を持ったパルス状の保持電圧を第１液晶パネル３Ｌ及び第２液晶パネル３Ｒに印加することにより行われる。  
ここで、上記保持電圧が上記正規電圧より相対的に電圧レベルが浅いとは、上記保持電圧の絶対値が上記正規電圧の絶対値より相対的に小さい、と言い換えることができる。
【００４５】
（実施例１）
まず、実施例１の液晶シャッタ１及び液晶シャッタ１の保持駆動（駆動方法）について説明する。実施例１の液晶シャッタ１及び液晶シャッタ１の保持駆動は、正規電圧より周波数が小さく設定された保持電圧をそれぞれ第１液晶パネル３Ｌ及び第２液晶パネル３Ｒに印加する保持駆動を極性反転駆動法を用いて行い、それぞれ第１液晶パネル３Ｌ及び第２液晶パネル３Ｒを、常時、透過状態に保持するように構成されている。
【００４６】
詳しくは、図２、図３及び図９に示すように、正規駆動から保持駆動に切替わった保持駆動期間において、第１液晶パネル３Ｌに印加する保持電圧の周波数は、１２０Ｈｚより小さく設定されている。
【００４７】
保持駆動期間、駆動部５は、第１液晶パネル３Ｌ（第１電極１２）に印加する電圧Ｖｄの極性を反転させる極性反転駆動を行う。  
駆動部５は、第１液晶パネル３Ｌの第１電極１２に、電圧ＶＳＬ及び電圧ＶＳＨを等間隔で交互に印加できるパルス状の電圧Ｖｄを印加し、第２電極２２に０Ｖの電圧Ｖｃｏｍを印加する。なお、第２電極２２は、常時、接地電位に設定される。
【００４８】
電圧ＶＳＬ及び電圧ＶＳＨは、液晶分子３０ｍがベンド配向からスプレイ配向に逆転移する臨界電圧（閾値電圧）ＶＴＬ、ＶＴＨ以上に深く設定されている。言い換えると、電圧ＶＳＬ及び電圧ＶＳＨの絶対値は、臨界電圧ＶＴＬ、ＶＴＨの絶対値以上である。
【００４９】
保持電圧は、正規電圧より相対的に電圧レベルが浅く設定されている。ここでは、電圧ＶＳＬは、−４Ｖであり、−１０Ｖの電圧ＶＢＬより浅く設定されている。電圧ＶＳＨは、＋４Ｖであり、＋１０Ｖの電圧ＶＢＨより浅く設定されている。
【００５０】
保持電圧は、保持駆動期間の透過率が正規駆動期間の透過率と同等となるよう調整されている。ここでは、第１液晶パネル３Ｌは、電圧Ｖｄの電圧レベルが、０Ｖ時に３０％の透過率を示し、±１０Ｖ（電圧ＶＢＬ、ＶＢＨ）時に０％の透過率を示し、±４Ｖ時に１５％の透過率を示す。駆動部５は、上記した電圧設定により、黒表示（黒挿入）無しにベンド配向を維持させつつ第１液晶パネル３Ｌを保持駆動するため、消費電力の増大なく第１液晶パネル３Ｌを、常時、透過状態に保持することができる。
【００５１】
なお、保持駆動期間、駆動部５は、第２液晶パネル３Ｒを、第１液晶パネル３Ｌと同様に保持駆動する。  
駆動部５は、液晶表示装置２からの同期信号が途絶えても、内部のクロック信号に基づいた自走駆動により、保持駆動を行うことができるものである。
【００５２】
保持駆動期間中、液晶表示装置２からの同期信号が液晶シャッタ１で受信可能な状態に復帰した場合など、ベンド配向が維持されているため、駆動部５は、保持駆動から即座に正規駆動に切替えることが可能であり、これにより動作安定性の確保も可能となる。
【００５３】
また、特定の時間、例えば１分経過しても、液晶表示装置２からの同期信号が液晶シャッタ１で受信可能な状態に復帰しない場合など、駆動部５は、一層の低消費電力化を達成するために、第１液晶パネル３Ｌ及び第２液晶パネル３Ｒの駆動を停止するように構成することもできる。
【００５４】
上記した実施形態では、第２電極２２には常に０Ｖの電圧Ｖｃｏｍを印加する構成としたが、第１電極１２に印加される電圧と逆位相で交番する電圧を印加することもできる。この場合、各電極に印加される電圧の振幅が小さくできるという利点がある。また、この場合、一方の電極に印加される電圧を制御しても良いし、または両方の電極１２，２２に印加される電圧を制御してもかまわない。この点は、以下の実施例においても同様である。
【００５５】
（実施例２）
次に、実施例２の液晶シャッタ１及び液晶シャッタ１の保持駆動（駆動方法）について説明する。実施例２の液晶シャッタ１及び液晶シャッタ１の保持駆動は、保持駆動期間に、非透過状態となる期間の正規電圧（電圧ＶＢＬ、ＶＢＨ）の電圧レベルを臨界電圧ＶＴＬ、ＶＴＨより浅くならないように徐々に浅くし、透過状態となる期間の正規電圧（０Ｖ）の電圧レベルを臨界電圧ＶＴＬ、ＶＴＨ以上に深くなるように徐々に深くし、臨界電圧ＶＴＬ、ＶＴＨより浅くならない範囲内の電圧レベルに調整された保持電圧を、それぞれ第１液晶パネル３Ｌ及び第２液晶パネル３Ｒに印加する以外、上記実施例１の液晶シャッタ１及び液晶シャッタ１の駆動方法と同様に構成されている。
【００５６】
これにより、保持駆動期間の第１液晶パネル３Ｌ及び第２液晶パネル３Ｒの透過率を、正規駆動期間の透過率から徐々に下げることができる。また、保持駆動期間の第１液晶パネル３Ｌ及び第２液晶パネル３Ｒを透過状態に保持することができる。
【００５７】
なお、実施例２において、非透過状態となる期間の正規電圧（電圧ＶＢＬ、ＶＢＨ）より電圧レベルが浅く設定され、かつ保持駆動期間の透過率が正規駆動期間の透過率と同等となるよう調整された保持電圧（電圧ＶＳＬ、ＶＳＨ）は、臨界電圧ＶＴＬ、ＶＴＨより浅く設定されている。
【００５８】
詳しくは、図２、図３及び図１０に示すように、正規駆動から保持駆動に切替わった保持駆動期間において、第１液晶パネル３Ｌに印加する保持電圧の周波数は、最初は１２０Ｈｚであるが、一定期間後には１２０Ｈｚより小さく設定されている。
【００５９】
保持駆動期間、駆動部５は、第１液晶パネル３Ｌ（第１電極１２）に印加する電圧Ｖｄの電圧レベルを臨界電圧ＶＴＬより浅くならないように電圧ＶＢＬから徐々に浅くする。また、電圧Ｖｄの電圧レベルを臨界電圧ＶＴＨより浅くならないように電圧ＶＢＨから徐々に浅くする。さらに、電圧Ｖｄの電圧レベルを臨界電圧ＶＴＬ、ＶＴＨ以上に深くなるように徐々に深くする。なお、第２電極２２は、常時、接地電位に設定される。
【００６０】
保持電圧は、正規電圧より相対的に電圧レベルが浅く設定されている。ここでは、臨界電圧ＶＴＬは−５Ｖであり、臨界電圧ＶＴＨは＋５Ｖである。
【００６１】
保持電圧は、保持駆動期間の透過率が正規駆動期間の透過率から徐々に低下するように調整されている。ここでは、第１液晶パネル３Ｌは、電圧Ｖｄの電圧レベルが、０Ｖ時に３０％の透過率を示し、±１０Ｖ（電圧ＶＢＬ、ＶＢＨ）時に０％の透過率を示し、±５Ｖ時に１５％未満の透過率を示す。駆動部５は、保持駆動に切替えてから一定期間後にはに第１液晶パネル３Ｌを黒表示（黒挿入）無し保持駆動するため、消費電力の増大なく第１液晶パネル３Ｌを、常時、透過状態に保持することができる。  
なお、保持駆動期間、駆動部５は、第２液晶パネル３Ｒを、第１液晶パネル３Ｌと同様に保持駆動する。
【００６２】
（実施例３）
次に、実施例３の液晶シャッタ１及び液晶シャッタ１の保持駆動（駆動方法）について説明する。実施例３の液晶シャッタ１及び液晶シャッタ１の保持駆動は、正規電圧と同等の周波数に設定された保持電圧を、それぞれ第１液晶パネル３Ｌ及び第２液晶パネル３Ｒに印加する以外、上記実施例１の液晶シャッタ１及び液晶シャッタ１の駆動方法と同様に構成されている。これにより、保持駆動期間の第１液晶パネル３Ｌ及び第２液晶パネル３Ｒを、常時、透過状態に保持することができる。
【００６３】
詳しくは、図２、図３及び図１１に示すように、正規駆動から保持駆動に切替わった保持駆動期間において、第１液晶パネル３Ｌに印加する保持電圧の周波数は、１２０Ｈｚに設定されている。
【００６４】
保持駆動期間、駆動部５は、第１液晶パネル３Ｌ（第１電極１２）に印加する電圧Ｖｄの極性を反転させる極性反転駆動を行う。  
駆動部５は、第１液晶パネル３Ｌの第１電極１２に、電圧ＶＳＬ及び電圧ＶＳＨを等間隔で交互に印加できるパルス状の電圧Ｖｄを印加する。なお、第２電極２２は、常時、接地電位に設定される。
【００６５】
電圧ＶＳＬ及び電圧ＶＳＨは、液晶分子３０ｍがベンド配向からスプレイ配向に逆転移する臨界電圧（閾値電圧）ＶＴＬ、ＶＴＨ以上に深く設定されている。  
保持電圧は、正規電圧より相対的に電圧レベルが浅く設定されている。ここでは、電圧ＶＳＬは、−４Ｖであり、−１０Ｖの電圧ＶＢＬより浅く設定されている。電圧ＶＳＨは、＋４Ｖであり、＋１０Ｖの電圧ＶＢＨより浅く設定されている。
【００６６】
保持電圧は、保持駆動期間の透過率が正規駆動期間の透過率と同等となるよう調整されている。ここでは、第１液晶パネル３Ｌは、電圧Ｖｄの電圧レベルが、０Ｖ時に３０％の透過率を示し、±１０Ｖ（電圧ＶＢＬ、ＶＢＨ）時に０％の透過率を示し、±４Ｖ時に１５％の透過率を示す。駆動部５は、黒表示（黒挿入）無しに第１液晶パネル３Ｌを保持駆動するため、消費電力の増大なく第１液晶パネル３Ｌを、常時、透過状態に保持することができる。  
なお、保持駆動期間、駆動部５は、第２液晶パネル３Ｒを、第１液晶パネル３Ｌと同様に保持駆動する。
【００６７】
（実施例４）
次に、実施例４の液晶シャッタ１及び液晶シャッタ１の保持駆動（駆動方法）について説明する。実施例４の液晶シャッタ１及び液晶シャッタ１の保持駆動は、保持駆動期間の透過率が正規駆動期間の透過率と同等となるよう調整された保持電圧（電圧ＶＳＬ、ＶＳＨ）の電圧レベルが深く、消費電力を十分低減できない場合、保持電圧（電圧ＶＳＬ、ＶＳＨ）の電圧レベルを臨界電圧ＶＴＬ、ＶＴＨより浅くならないように徐々に浅くし、臨界電圧ＶＴＬ、ＶＴＨより浅くならない範囲内の電圧レベルに調整された保持電圧（電圧ＶＷＬ、ＶＷＨ）を、それぞれ第１液晶パネル３Ｌ及び第２液晶パネル３Ｒに印加する以外、上記実施例３の液晶シャッタ１及び液晶シャッタ１の駆動方法と同様に構成されている。
【００６８】
これにより、保持駆動期間の第１液晶パネル３Ｌ及び第２液晶パネル３Ｒの透過率を、正規駆動期間の透過率から徐々に上げることができる。また、保持駆動期間の第１液晶パネル３Ｌ及び第２液晶パネル３Ｒを、透過状態に保持することができる。
【００６９】
詳しくは、図２、図３及び図１２に示すように、正規駆動から保持駆動に切替わった保持駆動期間において、第１液晶パネル３Ｌに印加する保持電圧の周波数は、１２０Ｈｚに設定されている。
【００７０】
保持駆動期間、駆動部５は、第１液晶パネル３Ｌ（第１電極１２）に印加する電圧Ｖｄの電圧レベルを臨界電圧ＶＴＬより浅くならないように電圧ＶＳＬから電圧ＶＷＬに徐々に浅くする。また、電圧Ｖｄの電圧レベルを臨界電圧ＶＴＨより浅くならないように電圧ＶＳＨから電圧ＶＷＨに徐々に浅くする。なお、第２電極２２は、常時、接地電位に設定される。
【００７１】
保持電圧は、正規電圧より相対的に電圧レベルが浅く設定されている。電圧ＶＷＬ及び電圧ＶＷＨは、液晶分子３０ｍがベンド配向からスプレイ配向に逆転移する臨界電圧（閾値電圧）ＶＴＬ、ＶＴＨ以上に深く設定されている。
【００７２】
保持電圧は、保持駆動期間の透過率が正規駆動期間の透過率から徐々に向上するように調整されている。ここでは、第１液晶パネル３Ｌは、電圧Ｖｄの電圧レベルが、０Ｖ時に３０％の透過率を示し、±１０Ｖ（電圧ＶＢＬ、ＶＢＨ）時に０％の透過率を示し、電圧ＶＳＬ、ＶＳＨ時に１５％の透過率を示し、電圧ＶＷＬ、ＶＷＨ時に１５％を超え３０％未満の透過率を示す。駆動部５は、保持駆動に切替えてから黒表示（黒挿入）無しに第１液晶パネル３Ｌを保持駆動するため、第１液晶パネル３Ｌを、消費電力の増大なく、常時、透過状態に保持することができる。  
なお、保持駆動期間、駆動部５は、第２液晶パネル３Ｒを、第１液晶パネル３Ｌと同様に保持駆動する。
【００７３】
次に、上記実施の形態の画像表示システムの液晶シャッタ１及び液晶表示装置２の関係をさらに説明する。以下、透過状態（ＯＮ）の期間及び非透過状態（ＯＦＦ）の期間毎に電圧Ｖｄの極性を、フリッカを低減するために少なくとも１回反転させる極性反転駆動を行う液晶シャッタ１を例に説明する。液晶表示装置２は、映像（動画像）及び静止画像を表示可能であるが、ここでは、液晶表示装置２が映像を表示する場合について説明する。
【００７４】
図１に示すように、液晶表示装置２は、映像を表示し、現在表示されている映像が左目用映像及び右目用映像のどちらであるかを示す識別情報を同時に出力する。図１及び図２に示すように、液晶シャッタ１の受信器７は、液晶表示装置２から出力される識別情報を受信し、この情報を駆動部５に伝送する。これにより、駆動部５は、第１液晶パネル３Ｌ及び第２液晶パネル３Ｒの開閉動作を、液晶表示装置２の左目用の映像表示及び右目用の映像表示に同期させることができる。
【００７５】
図１３には、液晶表示装置２の構成を示している。  
図１３に示すように、液晶表示装置２の入力端子１１０には、左目用の映像信号及び右目用の映像信号が入力される。これらの信号は、放送信号から取得した信号、及び記録媒体から再生された信号の何れであってもよい。入力端子１１０には、平面映像表示用の映像信号も入力されるが、以下、立体映像表示用の映像信号（左目用の映像信号及び右目用の映像信号）が入力される場合について説明する。
【００７６】
入力端子１１０に入力された映像信号は映像信号処理回路１１１及び同期信号処理回路１１３に伝送される。同期信号処理回路１１３は、映像信号から水平同期信号Ｈ及び垂直同期信号Ｖを分離して出力する。
【００７７】
水平同期信号Ｈ及び垂直同期信号Ｖは、映像信号処理回路１１１に入力され、信号処理のためのタイミングパルスとして利用される。また、水平同期信号Ｈ及び垂直同期信号Ｖは、液晶表示装置２の表示部１１２に入力され、水平走査、垂直走査のためのタイミングパルスとして利用される。液晶表示装置２は、映像信号処理回路１１１から出力される左目用映像信号Ｌ及び右目用映像信号Ｒを交互に表示する。
【００７８】
ここで、右目用映像信号Ｒの一部には、例えば、垂直ブランキング期間の直後であって、通常は表示領域には現れない水平期間にＲ識別信号ＲＩＤが挿入されている。Ｒ識別信号ＲＩＤは、映像信号処理回路１１１にて抽出される。このＲ識別信号ＲＩＤは、同期信号送信回路１１４に入力される。また、同期信号送信回路１１４には、上記垂直同期信号Ｖも入力される。
【００７９】
同期信号送信回路１１４は、垂直同期信号Ｖ及びＲ識別信号ＲＩＤを用いて、第２液晶パネル同期信号ＲＧ＿ＳＹＮＣを生成し、受信器７に向けて送信する。この実施例では、第２液晶パネル同期信号ＲＧ＿ＳＹＮＣを送信しているが、第１液晶パネル同期信号であってもよく、また両方を送信しても良い。
【００８０】
図１４には、液晶シャッタ１の受信器７を示している。また、図１５には、受信器７の各部の信号波形を示している。  
図１４及び図１５に示すように、受信回路２１１は、第２液晶パネル同期信号ＲＧ＿ＳＹＮＣを復調する。第２液晶パネル同期信号ＲＧ＿ＳＹＮＣは、電圧制御発振器２１２に位相同期信号ａとして入力される。電圧制御発振器２１２は、位相ロックループ及び分周器を含むものであり、第２液晶パネル同期信号ＲＧ＿ＳＹＮＣに位相同期したパルス信号ｂを生成し、出力する。パルス信号ｂは、１フレーム期間毎に、ローレベルからハイレベルに切替えられる。パルス信号ｂは、増幅器２１３に入力され基準電位を中心にして正、負対称のパルスに整形され、スイッチ２１５に入力される。また、パルス信号ｂは１／２分周器２１４に入力され、１／２分周器２１４はスイッチ制御パルス信号ｃとして出力する。
【００８１】
スイッチ制御パルスｃが正のとき、スイッチ２１５を端子Ａに接続し、スイッチ制御パルスｃが負のとき、スイッチ２１５を端子Ｂに接続する。端子Ａは、増幅器２１６及び増幅器２１９に接続され、端子Ｂは増幅器２１７及び増幅器２１８に接続されている。増幅器２１６は端子Ａからの信号ｄを増幅し、増幅器２１７は端子Ｂからの信号ｅを増幅する。増幅器２１６及び増幅器２１７で増幅された信号は、合成され、出力端子２２１に第２液晶パネル駆動信号ｈ（電圧Ｖｄ）として出力される。ここで、増幅器２１６の増幅率は増幅器２１７の増幅率より小さく設定されている。
【００８２】
一方、増幅器２１９は端子Ａからの信号ｇ（＝ｄ）を増幅し、増幅器２１８は端子Ｂからの信号ｆ（＝ｅ）を増幅する。増幅器２１９及び増幅器２１８で増幅された信号は、合成され、出力端子２２２に第１液晶パネル駆動信号ｉ（電圧Ｖｄ）として出力される。ここで、増幅器２１８の増幅率は増幅器２１９の増幅率より小さく設定されている。
【００８３】
上記第２液晶パネル駆動信号ｈ及び第１液晶パネル駆動信号ｉにより、第２液晶パネル３Ｒ及び第１液晶パネル３Ｌがそれぞれ駆動される。なお、図１５のｊには、第１液晶パネル３Ｌ（左目用）及び第２液晶パネル３Ｒ（右目用）の開閉シーケンスを示し、ｋには、液晶表示装置に表示される左目用の映像及び右目用の映像のシーケンスを示している。
【００８４】
以上のように構成された液晶シャッタ１を備えた画像表示システム及び液晶シャッタ１の駆動方法によれば、画像表示システムは、メガネ装着型の液晶シャッタ１と、左目用の画像（映像）と右目用の画像（映像）とを交互に表示する液晶表示装置２とを備えている。液晶シャッタ１は、左目用のＯＣＢモードの第１液晶パネル３Ｌと、右目用のＯＣＢモードの第２液晶パネル３Ｒと、駆動部５とを備えている。
【００８５】
駆動部５は、パルス状の正規電圧を第１液晶パネル３Ｌ及び第２液晶パネル３Ｒに印加し、それぞれ第１液晶パネル３Ｌ及び第２液晶パネル３Ｒを液晶分子３０ｍがベンド配向を採った状態で透過状態（ＯＮ）及び非透過状態（ＯＦＦ）に交互に切替える正規駆動を行うことができる。
【００８６】
液晶表示装置２は１２０Ｈｚの周波数で左目用の画像（映像）と右目用の画像（映像）とを交互に表示し、第１液晶パネル３Ｌ及び第２液晶パネル３Ｒは１２０Ｈｚの周波数で透過状態（ＯＮ）及び非透過状態（ＯＦＦ）に交互に切替えられるため、実質６０Ｈｚの周波数で画像を表示した場合と同等の鮮明な立体画像を、液晶シャッタ１を装着したユーザに表示することができる。
【００８７】
駆動部５は、正規電圧より周波数が小さい特性及び正規電圧より相対的に電圧レベルが浅い特性の少なくとも一方の上記特性を持ったパルス状の保持電圧を第１液晶パネル３Ｌ及び第２液晶パネル３Ｒに印加し、液晶分子３０ｍがベンド配向を採った状態を保持する保持駆動を、正規駆動から切替えて行うことができる。
【００８８】
実施例１及び２では、保持電圧は、正規電圧より周波数が小さい特性を持っている。実施例１乃至４では、保持電圧は、正規電圧より相対的に電圧レベルが浅い特性を持っている。このため、実施例１乃至４の液晶シャッタ１（駆動部５）は、正規駆動より消費電力を低減でき液晶分子３０ｍがベンド配向を採った状態を保持する保持駆動を行うことができる。
【００８９】
実施例１及び３では、保持電圧は保持駆動期間の透過率が正規駆動期間の透過率と同等となるよう調整されているため、駆動部５は、液晶シャッタ１を装着したユーザに違和感を与えること無しに、正規駆動から保持駆動に切替えることができる。
【００９０】
実施例２では、保持電圧は保持駆動期間の透過率が正規駆動期間の透過率から徐々に低下するよう調整されている。実施例４では、保持電圧は保持駆動期間の透過率が正規駆動期間の透過率から徐々に向上するよう調整されている。液晶シャッタ１を装着したユーザの視界が急に明るくなったり、暗くなったりしないため、駆動部５は、液晶シャッタ１を装着したユーザに与える違和感を抑えて、正規駆動から保持駆動に切替えることができる。
【００９１】
上記したことから、消費電力の低減が可能であり、しかも動作安定性の確保が可能な液晶シャッタ１、液晶シャッタ１の駆動方法及び液晶シャッタ１を備えた画像表示システムを得ることができる。
【００９２】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施例にわたる構成要素を適宜組み合わせてもよい。
【００９３】
例えば、保持電圧の周波数は、好ましくは１０Ｈｚ乃至０．０１Ｈｚの範囲内であり、これにより、正規駆動より消費電力を低減でき液晶分子がベンド配向を採った状態を保持する保持駆動を行うことができる。
【００９４】
正規駆動期間において、それぞれ第１液晶パネル３Ｌ及び第２液晶パネル３Ｒを、透過状態及び記非透過状態に交互に切替える際の駆動電源のスルーレートを低くし、すなわち、電圧Ｖｄの立ち上がり及び立下りを悪くしてもよい。詳しくは、駆動電源のスルーレートを、液晶の応答速度（第１液晶パネル３Ｌ及び第２液晶パネル３ＲのＯＮ／ＯＦＦのどちらか高速な方）より高速に充電を完了するような値以上のうち、十分低く設定すればよい。これにより、ピーク電流が下がるため、低消費電力化を図ることができる。
【００９５】
但し、スルーレートを低くすると、透過状態から非透過状態への切替えが遅延することになる。この場合、スルーレートを低く設定した分、デューティ（Ｄｕｔｙ）を小さく設定し、第１液晶パネル３Ｌ及び第２液晶パネル３Ｒの透過率を切替えるタイミング（この例では、透過状態から非透過状態に切替えるタイミング）を早く設定すればよい。
【００９６】
上記液晶シャッタ１及び液晶シャッタ１の駆動方法は、ユーザが液晶シャッタ１を取外した場合、駆動部５が正規駆動から保持駆動に切替えるよう構成されていてもよい。この場合、第１液晶パネル３Ｌ及び第２液晶パネル３Ｒの透過率を考慮すること無しに保持駆動を行うことができる。なお、ユーザが液晶シャッタ１を取外したかどうかは、メガネフレーム４にセンサを設ける等すれば容易に検知することができる。
【００９７】
保持駆動期間中、ユーザが液晶シャッタ１を再装着した場合など、駆動部５は、保持駆動から正規駆動に切替えてもよい。また、特定の時間ユーザが液晶シャッタ１を再装着しない場合など、駆動部５は、第１液晶パネル３Ｌ及び第２液晶パネル３Ｒの駆動を停止してもよい。
【００９８】
上記電圧Ｖｄ及び電圧Ｖｃｏｍの電圧値は上記の例に限定されるものではなく、種々変形可能であり、第１液晶パネル３Ｌ及び第２液晶パネル３Ｒの設計に合うよう調整されていればよい。
【００９９】
上記実施の形態において、液晶表示装置２は１２０Ｈｚの周波数で左目用の画像（映像）と右目用の画像（映像）とを交互に表示し、第１液晶パネル３Ｌ及び第２液晶パネル３Ｒは１２０Ｈｚの周波数で透過状態（ＯＮ）及び非透過状態（ＯＦＦ）に交互に切替えられるが、これらの周波数は１２０Ｈｚに限定されるものではなく、種々変形可能である。
【０１００】
第１液晶パネル３Ｌ及び第２液晶パネル３Ｒは、ノーマリーホワイト型であるが、これに限定されるものではなく、設計を調整することにより、電圧を印加しない状態で光遮断状態となるノーマリーブラック型であってもよい。
【０１０１】
駆動部５は、筐体８に収容されているが、これに限定されるものではなく種々変形可能であり、例えば、一部又は全てが第１液晶パネル３Ｌ及び第２液晶パネル３Ｒに設けられていてもよい。
【０１０２】
液晶シャッタ１は、メガネ装着型の液晶シャッタに限定されるものではなく、種々変形可能であり、この場合、メガネフレーム４以外の部材に取付けられていればよい。
【０１０３】
液晶表示装置２は、左目用の画像及び右目用の画像を表示する際、２つの照明部９１及び９５を用いたが、これに限定されるものではなく、種々変形可能であり、公知技術等、他の手段で代用することも可能である。
【０１０４】
上記表示装置は、液晶表示装置２に限定されるものではなく、種々変形可能であり、ＣＲＴ（cathode-ray tube）表示装置等の表示装置であってもよい。
【符号の説明】
【０１０５】
１…液晶シャッタ、２…液晶表示装置、３Ｌ…第１液晶パネル、３Ｒ…第２液晶パネル、４…メガネフレーム、５…駆動部、７…受信器、１０，２０…電極基板、１４，２４…光学補償フィルム、１５，２５…偏光板、３０…液晶層、３０ｍ…液晶分子、５０…液晶表示パネル、９０…バックライトユニット、１００…制御部、ＰＸ…画素、Ｖｄ，Ｖｃｏｍ…電圧、ＶＴＬ，ＶＴＨ…臨界電圧。
【図１】
2011215400.tif 000003
【図２】
2011215400.tif 000004
【図３】
2011215400.tif 000005
【図４】
2011215400.tif 000006
【図５】
2011215400.tif 000007
【図６】
2011215400.tif 000008
【図７】
2011215400.tif 000009
【図８】
2011215400.tif 000010
【図９】
2011215400.tif 000011
【図１０】
2011215400.tif 000012
【図１１】
2011215400.tif 000013
【図１２】
2011215400.tif 000014
【図１３】
2011215400.tif 000015
【図１４】
2011215400.tif 000016
【図１５】
2011215400.tif 000017